(57)【要約】【課題】汎用のカメラ付携帯端末機によって光学情報を読取るにあたって、その読取りを良好に行うことを可能とする。【解決手段】薄形矩形箱状をなすアダプタ８の本体９の上面に、カメラ内蔵型の携帯電話機１は着脱自在に嵌込まれる凹部９ａを設ける。本体９の先端面に防塵プレート１０ａを有する読取口１０を設けると共に、その上面（凹部９ａの底面）の携帯電話機１の撮像部５に対応した位置に、防塵プレート１１ａを有した接続口１１を設け、本体９内に、それらをつなげるような光路を構成する中空部９ｂを設ける。本体９（中空部９ｂ）内に、バーコードＢを横軸（Ｘ軸）方向に拡大して撮像部５に撮像させるためのレンズ１２、及び、撮像部５の光軸Ｏを折曲げるための反射鏡１３を配設する。【選択図】　図１
2004032507.tif 000002
【特許請求の範囲】
【請求項１】
撮像部を有するカメラ付携帯端末機に着脱自在に取付けられ、前記撮像部による光学情報の読取りを可能とするためのアダプタであって、
前記光学情報を読取るための読取口を有し前記カメラ付携帯端末機に対して位置決め状態に取付けられて該読取口からの入射光を前記撮像部に導く本体と、
この本体内に設けられ前記光学情報を少なくとも横軸方向に拡大して前記撮像部に撮像させるための集光光学部とを備えることを特徴とするカメラ付携帯端末機用光学情報読取アダプタ。
【請求項２】
前記本体内には、前記撮像部の光軸を折曲げる反射部を備え、前記読取口の向く方向が、前記カメラ付携帯端末機の長手方向先端方向にほぼ一致するように構成されていることを特徴とする請求項１記載のカメラ付携帯端末機用光学情報読取アダプタ。
【請求項３】
前記集光光学部と前記反射部とは一体の光学部材から構成されることを特徴とする請求項２記載のカメラ付携帯端末機用光学情報読取アダプタ。
【請求項４】
前記光学部材は、少なくとも１つの面に前記集光光学部が形成されると共に、少なくとも１つの面によって前記反射部が形成された透明なプリズムであることを特徴とする請求項３記載のカメラ付携帯端末機用光学情報読取アダプタ。
【請求項５】
前記光学部材は、凹面によって前記集光光学部を構成すると共に、該凹面を反射面とすることで前記反射部を構成する反射鏡であることを特徴とする請求項３記載のカメラ付携帯端末機用光学情報読取アダプタ。
【請求項６】
前記カメラ付携帯端末機の背面側に前記撮像部が設けられているものであって、前記反射部の反射角度は鈍角をなすことを特徴とする請求項２ないし５のいずれかに記載のカメラ付携帯端末機用光学情報読取アダプタ。
【請求項７】
前記光学情報を読取る際の読取り方向を指示する読取方向指示手段を備えることを特徴とする請求項１ないし６のいずれかに記載のカメラ付携帯端末機用光学情報読取アダプタ。
【請求項８】
前記光学情報に対して照明光を照射するための照明手段を備えることを特徴とする請求項１ないし７のいずれかに記載のカメラ付携帯端末機用光学情報読取アダプタ。
【発明の詳細な説明】
【０００１】
【発明の属する技術分野】
本発明は、カメラ内蔵型携帯電話機などのカメラ付携帯端末機に着脱自在に取付けられ、光学情報の読取りを可能とするためのカメラ付携帯端末機用光学情報読取アダプタに関する。
【０００２】
【発明が解決しようとする課題】
近年、例えば携帯電話機やＰＤＡ等の携帯型情報端末機器においては、カメラ（ディジタルカメラ）を内蔵したものが普及してきており、人物（顔）やちょっとした風景等のスナップ写真を撮影して、その撮影画像データをメールに添付して送信したり、あるいは待受け画面として利用したりすることができるようになっている。尚、携帯電話機に内蔵されるカメラは、現状では、最大でも３０万画素程度である。
【０００３】
ところで、スーパーのレジ等におけるＰＯＳシステムのように、バーコードや二次元コードなどの光学情報を用いたシステムが広く利用されてきており、一般に、そのようなシステムで光学情報を読取るためには、専用の読取装置（バーコードリーダ）が必要であった。特に、バーコード読取部の他に、キー入力部、表示部、データ通信部等を一体的に有して構成されるバーコードハンディターミナル（ＢＨＴ）と称されるバーコード読取装置は、様々な業種や用途に使用されている。
【０００４】
ところが、上記したカメラ付携帯端末機と、バーコードハンディターミナルとは、設計思想は全く異なるものの、ハードウエア的な構成面を取上げれば、ほとんど同様の機能を備えている。そこで、カメラ付携帯端末機において、内蔵するカメラにより光学情報を読取ることができれば、その用途等を広げることができると考えられる。しかしながら、現状のカメラ付携帯端末機により光学情報の読取りを行うには、微細な光学情報を読取るには分解能がやや不足しており、また、読取（撮像）距離が遠過ぎる（視野が広過ぎる）といった問題点がある。尚、携帯電話機においてはカメラの撮像口が本体の背面側に設けられているものが多く、読取りの際に光学情報が狙いにくい不具合もあった。
【０００５】
本発明は上記事情に鑑みてなされたもので、その目的は、汎用のカメラ付携帯端末機によって光学情報を読取るにあたって、その読取りを良好に行うことを可能とするカメラ付携帯端末機用光学情報読取アダプタを提供するにある。
【０００６】
【課題を解決するための手段】
本発明のカメラ付携帯端末機用光学情報読取アダプタは、光学情報を読取るための読取口を有する本体を、カメラ付携帯端末機に対して位置決め状態に取付けることにより、読取口からの入射光をカメラ付携帯端末機の撮像部に導くように構成すると共に、その本体内に光学情報を少なくとも横軸方向に拡大して前記撮像部に撮像させるための集光光学部を設けたところに特徴を有する（請求項１の発明）。
【０００７】
これによれば、カメラ付携帯端末機に対して本体を取付けた状態で、本体の読取口を読取りたい光学情報に向けて撮像部による撮像操作を行えば、光学情報が、集光光学部により拡大されて撮像が行われる。従って、微細な光学情報を読取るには分解能がやや不足し、また読取距離が遠過ぎるといった欠点を、アダプタの装着により補うことができ、この結果、汎用のカメラ付携帯端末機であっても、光学情報の読取りを良好に行うことができるものである。尚、この場合、集光光学部による撮像の拡大方向を少なくとも横軸（Ｘ軸）方向としたのは、光学情報がバーコードのような一次元コードであれば、Ｘ軸方向に情報が記録されているため、Ｘ軸方向にのみ拡大すれば読取りに十分であるからである。
【０００８】
そして、本体内に、撮像部の光軸を折曲げる反射部を設け、読取口の向く方向を、カメラ付携帯端末機の長手方向先端方向にほぼ一致させるように構成すれば（請求項２の発明）、ユーザは、カメラ付携帯端末機の長手方向先端側を光学情報に向けて読取り操作を行えば良く、読取りの際に光学情報を狙いやすくすることができる。
【０００９】
このとき、上記集光光学部と反射部とを一体の光学部材から構成することができ（請求項３の発明）、これにより、構成の簡単化を図ることができる。より具体的には、光学部材を、少なくとも１つの面に集光光学部が形成されると共に、少なくとも１つの面によって反射部が形成された透明なプリズムから構成したり（請求項４の発明）、あるいは、光学部材を、凹面によって集光光学部を構成すると共に、該凹面を反射面とすることで反射部を構成する反射鏡から構成することもでき（請求項５の発明）、いずれも、集光光学部と反射部とを一体に有した光学部材を比較的簡単に構成することができる。
【００１０】
ところで、カメラ付携帯端末機においては、背面側に撮像部が設けられているものが多いが、そのような場合、上記反射部の反射角度を鈍角とすることができる（請求項６の発明）。これによれば、カメラ付携帯端末機が、本体に対して先端側の方を高くしたような傾斜状態とされるので、カメラ付携帯端末機の前面側に設けられた表示部や操作部を見やすく且つ操作しやすい状態で配置することができる。
【００１１】
また、光学情報を読取る際の読取り方向を指示する読取方向指示手段を設けるようにすれば（請求項７の発明）、読取りの際に光学情報をより一層狙いやすくすることができる。さらには、光学情報に対して照明光を照射するための照明手段を設けるようにすれば（請求項８の発明）、照明手段から照射される照明光により、読取りのための光量不足を補うことができ、光学情報のより一層良好な読取りを可能とすることができる。
【００１２】
【発明の実施の形態】
以下、本発明を具体化したいくつかの実施例について、図面を参照しながら説明する。
（１）第１の実施例
最初に、図１ないし図４を参照して、本発明の第１の実施例について述べる。尚、この第１の実施例は、請求項１，２，６，７に対応している。また、この実施例では、カメラ付携帯端末機としての市販（汎用）のカメラ内蔵型の携帯電話機により、光学情報としてのバーコード（一次元コード）を読取る場合を具体例としている。
【００１３】
まず、カメラ付携帯端末機としてのカメラ内蔵型の携帯電話機１について簡単に述べる。この携帯電話機１は、図１及び図２に示すように、携帯可能な縦長形状を有する本体ケースの前面部に、ＬＣＤからなる表示部２及び多数個のキーを備えるキー操作部３（図２参照）を有している。詳しい説明は省略するが、前記キー操作部３には、ダイヤルキーや、終了／電源キー、開始（着信）キー、各種の機能キー、カメラ用のシャッタキー等が設けられている。また、本体ケースの上部には、無線通信用のアンテナ４が設けられている。
【００１４】
そして、この携帯電話機１の本体ケースの背面側の上部には、撮像部（カメラ）５が設けられている。この撮像部５は、図３，図４にも示すように、イメージセンサ６及び結像レンズ７を備えて構成されている。前記イメージセンサ６は、画素数が例えば３０万程度のものとされている。尚、前記結像レンズ７は、図面では便宜上１個のレンズのように示しているが、実際には複数の組レンズから構成されている。また、絞り機構やオートフォーカス機構なども設けられているが、本願発明の要旨との関連性は薄いので、図示及び説明を省略する。
【００１５】
さらに、図示はしないが、この本体ケースには、スピーカ及びマイクが設けられていると共に、マイコン（ＣＰＵ）を主体として構成され全体の制御を行う制御部や、この制御部に接続された記憶部等が設けられている。前記記憶部には、通話機能やメール送受信の機能などの各種の機能を実現するための制御プログラムや、各種のデータが記憶されるようになっており、また、前記撮像部５（イメージセンサ６）により撮像された画像データを記憶する画像メモリが設けられている。
【００１６】
これにて、携帯電話機１は、通話機能やメールの送受信機能等の通常の機能を実現すると共に、前記撮像部５により人物の顔やちょっとした風景等のスナップ写真を撮影して、その撮影画像データをメールに添付して送信したり、あるいは表示部２の待受け画面として利用したりするディジタルカメラとしての機能を実現するようになっている。尚、この撮像部５による撮影の際には、前記表示部２がファインダとして機能するようになっている。
【００１７】
そして、次に述べるように、この携帯電話機１に、本実施例に係る光学情報読取アダプタ８を取付けることにより、前記撮像部５を用いて光学情報たるバーコードＢの読取りを行うバーコードリーダ（バーコードハンディターミナル）として機能させることが可能とされているのである。このとき、前記制御部は、読取ったバーコードリーダＢのデコード処理や、そのデータの記憶や送信等の処理を行うようになっている。
【００１８】
さて、前記携帯電話機１に着脱自在に取付けられて、前記撮像部５によるバーコードＢの読取りを可能とするための、本実施例に係る光学情報読取アダプタ８について述べる。このアダプタ８は、例えばプラスチック製の本体９内に、後述する光学系（光学部材）を配して構成される。図１及び図２に示すように、前記本体９は、前記携帯電話機１の本体ケースよりも一回り大きい縦長の薄形矩形箱状に構成され、その上面部に、図１に示すように、前記携帯電話機１が着脱自在に嵌込まれる凹部９ａが形成されている。
【００１９】
この凹部９ａは、先端側（図１で左側）で浅く、基端側（図１で右側）へ行くほど次第に深くなるように形成されており、携帯電話機１を、その背面側を下向きとして載置状態とすることにより、ほぼ密に嵌り込むようになっている。このとき、携帯電話機１は、その前面部が本体９に対して先端側の方をやや高くしたような緩やかな傾斜状態で本体９の上面側に位置されるようになり、また、図示しない固定手段（例えばばねを利用したラッチ機構など）により、位置決め状態で固定されるようになっている。
【００２０】
また、この本体９には、図１に示すように、その先端面に位置してやや横長な矩形状の読取口１０が設けられていると共に、その上面（凹部９ａの底面）のうち前記携帯電話機１の撮像部５に対応した（重なる）位置に接続口１１が設けられている。さらに、本体９内には、前記読取口１０から後方に真直ぐに延び、その後上方に折曲がるようにして前記接続口１１につながるような光路を構成する中空部９ｂが形成されている。尚、前記読取口１０及び接続口１１部分には、透光性ある防塵プレート１０ａ及び１１ａが夫々設けられている。
【００２１】
そして、この本体９（中空部９ｂ）内には、図３にも示すように、光学情報（バーコードＢ）を横軸（Ｘ軸）方向に拡大して前記撮像部５に撮像させるための集光光学部としてのレンズ１２、及び、撮像部５の光軸Ｏ（図１参照）を折曲げるための反射部としての反射鏡１３が配設されている。そのうちレンズ１２は、図３に示すように、下面側がＸ軸方向に凸レンズとなっている薄いかまぼこ型のレンズ（シリンドリカルレンズ）からなり、図１に示すように、前記接続口１１のすぐ内側（防塵プレート１１ａのすぐ下部）に配設されている。
【００２２】
前記反射鏡１３は、この場合平面状の反射面を有し、図１に示すように、前記中空部９ｂの折曲り部分に斜めに配設されている。これにて、前記読取口１０から入射した光が、反射鏡１３にて反射されてレンズ１２を通して接続口１１ひいては撮像部５に導かれるようになっており、その反射角度θは、直角よりも若干（携帯電話機１の水平方向に対する傾斜分だけ）大きい鈍角とされている。
【００２３】
またこのとき、前記読取口１０をバーコードＢが記された読取対象に真直ぐ向けた状態で、撮像部５によるバーコードＢの読取り（撮像）が可能となるのであるが、その際の読取口１０の向く方向が、携帯電話機１の長手方向先端方向にほぼ一致するようになっている。この場合、本体９の外形、特に左右の側辺部（稜部９ｃ）の延びる方向が、バーコードＢを読取る際の入射光の光軸Ｏと平行となり、読取り方向を指示する読取方向指示手段として機能するのである。
【００２４】
次に、上記構成の作用について、図４も参照して述べる。ユーザが、携帯電話機１を用いてバーコードＢを読取りたい場合には、図１及び図２に示すように、携帯電話機１にアダプタ８を取付ける。その状態で、アダプタ８の本体９の読取口１０を読取りたいバーコードＢ（読取対象）に向け、携帯電話機１のキー操作部３のシャッタキーをオン操作すれば、バーコードＢの画像（光）が、読取口１０から入射され、反射鏡１３で反射されてレンズ１２を通して撮像部５に至り、結像レンズ７により結像されてイメージスキャナ６に読取られるようになる。
【００２５】
このとき、バーコードＢの読取時における読取口１０の向く方向が、携帯電話機１の長手方向先端方向にほぼ一致しているので、ユーザは、バーコードＢを狙いやすくなり、しかも、アダプタ８の本体９の左右の稜部９ｃが読取り方向を指示することになるので、バーコードＢをより一層狙いやすくなる。また、反射鏡１３の反射角度θを鈍角としたことにより、携帯電話機１の前面側がアダプタ８の本体９に対して傾斜状態とされるので、表示部２やキー操作部３が見やすく且つ操作しやすい状態で、読取り操作を行うことができる。
【００２６】
そして、アダプタ８内（光路中）に配置されたかまぼこ型のレンズ１２が、図４に示すような作用を呈するようになる。即ち、図４（ａ）に、上半分をアダプタ８（レンズ１２）が存在しない場合、下半分をレンズ１２が存在する場合で示しているように、撮像部５の焦点距離が短くなって倍率が上がり、また、図４（ｂ）に示すように、アダプタ８（レンズ１２）が存在しない場合の撮像部５の視野角ｂが比較的広くなるのに対して、レンズ１２がある場合には撮像部５の視野角ａが狭くなる。尚、この図４では、分り易くするため反射鏡１３による光軸Ｏの折曲げを省略している。
【００２７】
これにより、レンズ１２を設けたことによって、撮像部５によりバーコードＢがＸ軸（横軸）方向に拡大されて、言換えればイメージセンサ６の画面ほぼ一杯に撮像されることになる。この結果、携帯電話機１に内蔵される撮像部５の読取距離を短くすることができると共に、撮像部５（イメージセンサ６）が微細なバーコードＢを読取るには分解能がやや不足している事情があっても、それを補ってバーコードＢの良好な読取りを行うことができるのである。尚、この場合、レンズ１２による撮像の拡大方向をＸ軸方向のみとしたのは、バーコードＢはＸ軸方向にのみ情報が記録されるため、Ｘ軸方向にのみ拡大すれば読取りに十分であるからである。
【００２８】
このように本実施例によれば、汎用（市販）のカメラ内蔵型の携帯電話機１によってバーコードＢを読取ろうとした場合に生ずる、分解能が不足し、読取（撮像）距離が遠過ぎ、読取りの際にバーコードＢが狙いにくいといった従来の問題点を、アダプタ８の装着により解消することができ、バーコードＢの読取りを良好に行うことができ、また読取り時における操作性も向上するという優れた効果を得ることができ、ひいては、カメラ内蔵型の携帯電話機１の用途等を広げることができるものである。
【００２９】
（２）第２〜第５の実施例
次に、図５ないし図１０を参照して、本発明の第２〜第５の実施例について述べる。これら第２〜第５の実施例は、上記第１の実施例と同様に、携帯電話機１に着脱自在に取付けられてバーコードＢの読取りを可能とするアダプタに本発明を適用したものであり、アダプタ８の本体９内に設けられる光学系の構成が上記第１の実施例と異なっている。尚、以下に述べる各実施例においては、上記第１の実施例と共通する部分も多いので、第１の実施例と同一部分には、同一符号を付して新たな図示及び説明を省略し、以下、相違する点についてのみ述べることとする。
【００３０】
図５は、本発明の第２の実施例を示している。この実施例では、バーコードＢを横軸（Ｘ軸）方向に拡大して撮像部５に撮像させるための集光光学部として、接続口１１の近傍にレンズ１２を設けることに代えて、読取口１０部分（本体９の先端面より若干内側の位置）に、防塵プレートを兼用したレンズ２１を配設するようにしている。このレンズ２１は、内面側がＸ軸方向に凸レンズとなっている薄いかまぼこ型のレンズ（シリンドリカルレンズ）から構成されている。かかる構成によれば、上記第１の実施例と同様の作用，効果を得ることができ、これに加えて、レンズ２１はレンズ１２よりもやや大形となるものの、防塵プレート１０ａを省略して部品数を少なくすることができる。
【００３１】
図６及び図７は、本発明の第３の実施例（請求項８に対応）を示している。この第３の実施例では、上記第２の実施例のアダプタに、光学情報たるバーコードＢ（読取対象）に対して照明光を照射するための照明手段たる照明装置２２を付加するようにしている。この照明装置２２は、例えば複数個のＬＥＤを横に並べて備えて構成されており、この場合、上記レンズ２１の上辺部に照明光軸Ｌを水平方向やや下に向けるように配設されている。
【００３２】
これにより、図７に示すように、バーコードＢの読取り時に、該バーコードＢに対して、本体９の先端部（読取口１０）から全体として横長状をなす照明光（ガイド光を兼ねる）を照射することができるのである。またこの場合、図７（ｂ）に示すように、照明光の光軸Ｌと読取光軸Ｏとが、適切な読取距離（読取範囲）の中間部で交わるように設定されている。尚、図示は省略するが、この場合、本体９内には照明装置２２の電源となる電池が設けられ、また本体９の外面部には、照明装置２２をオンさせるためのスイッチが設けられている。
【００３３】
従って、ユーザは、読取口１０をバーコードＢに向け、本体９のスイッチをオンして照明装置２２により照明光を照射した状態で、携帯電話機１のシャッタキーを操作するといった手順でバーコードＢの読取操作を行うことになる。かかる構成によれば、バーコードＢの読取りのための光量が不足するような場合でも、照明装置２２により光量不足を補うことができ、バーコードＢのより一層良好な読取りを可能とすることができるものである。
【００３４】
図８及び図９は、本発明の第４の実施例（請求項３，５に対応）を示している。この実施例では、集光光学部と反射部とを、一体の光学部材たる反射鏡２３から構成するようにしている。この反射鏡２３は、図９に示すように、その表面（反射面）がＸ軸方向に凹面２３ａとされており、この凹面２３ａによってバーコードＢを横軸（Ｘ軸）方向に拡大して撮像部５に撮像させるための集光光学部を構成すると共に、その凹面２３ａを反射面として反射部を構成している。かかる構成によれば、上記第１の実施例と同様の作用，効果を得ることができ、これに加えて、レンズ１２及び反射鏡１３を別体としたものに比べて構成の簡単化を図ることができると共に、光学部材（反射鏡２３）自体を比較的簡単に構成することができる。
【００３５】
図１０は、本発明の第５の実施例（請求項４に対応）を示している。この実施例では、集光光学部と反射部とを、一体の光学部材たるプリズム２４から構成している。このプリズム２４は、光入射面２４ａから入射した光を、反射部たる反射面２４ｂにて反射させ、光出射面２４ｃから出射して撮像部５に導くように構成され、このとき例えば光出射面２４ｃがＸ軸方向に凸面（凸レンズ）となっていることにより、集光光学部が構成されている。かかる構成においても、上記第１の実施例と同様の作用，効果を得ることができ、これに加えて、レンズ１２及び反射鏡１３を別体としたものに比べて構成の簡単化を図ることができると共に、光学部材（プリズム２４）自体を比較的簡単に構成することができる。
【００３６】
（３）第６〜第１１の実施例
図１１及び図１２は、本発明の第６の実施例を示している。この実施例に係る光学情報読取アダプタ３１は、携帯電話機１に着脱自在に取付けられることにより、撮像部５による光学情報たる二次元コードＣの読取りを可能とするものとされている。この場合、周知のように、二次元コードＣは、横軸（Ｘ軸）方向及び縦軸（Ｙ軸）方向の双方に情報が記録されている。そこで、この実施例の集光光学部は、二次元コードＣをＸ軸方向及びＹ軸方向の両方向に拡大して撮像部５により撮像させるように構成されている。
【００３７】
即ち、アダプタ３１の本体３２内には、図１２に示すように、集光光学部としてのレンズ３３、及び、撮像部５の光軸Ｏを折曲げるための反射部としての反射鏡３４が配設されている。前記レンズ３３は、例えば球面状の凸レンズから構成されており、二次元コードＣをＸ軸方向及びＹ軸方向の両方向に拡大して撮像部５により撮像させるようになっており、接続口１１の防塵プレート１１ａ（図示省略）の下側に設けられている。反射鏡３４は平面鏡から構成されている。
【００３８】
かかる構成によれば、レンズ３３を設けたことによって、撮像部５により二次元コードＣがＸ軸（横軸）及びＹ軸（縦軸）方向に拡大されて、言換えればイメージセンサ６の画面ほぼ一杯に撮像されることになる。この結果、携帯電話機１に内蔵される撮像部５の読取距離を短くすることができると共に、撮像部５（イメージセンサ６）が微細な二次元コードＣを読取るには分解能がやや不足している事情があっても、それを補って二次元コードＣの良好な読取りを行うことができるのである。尚、上記構成においては、バーコードＢのような一次元コードの読取りも良好に行うことができることは勿論である。
【００３９】
図１３ないし図１７は、夫々本発明の第７〜第１１の実施例を示しており、上記第６の実施例とは、光学系（光学部材）の構成が夫々異なっている。即ち、図１３に示す第７の実施例では、反射部として、上記反射鏡３４に代えてプリズム３５を設けるようにしており、上記第５の実施例と同様の作用、効果を得ることができる。尚、上記第６，第７の実施例において、レンズ３３を反射鏡３４又はプリズム３５よりも読取口１０側に設けることもできるが、レンズの口径が大きくなるので、接続口１１側に設けた方が、小型，軽量で済む。
【００４０】
図１４に示す第８の実施例では、集光光学部と反射部とを、一体の光学部材たる反射鏡３６から構成するようにしている。この反射鏡３６は、球面状の凹面３６ａを有しており、この凹面３６ａが二次元コードＣをＸ軸及びＹ軸方向に拡大して撮像部５に撮像させるための集光光学部を構成すると共に、反射面とされている。かかる構成によれば、上記第６の実施例と同様の作用，効果を得ることができ、これに加えて、レンズ３３及び反射鏡３４を別体としたものに比べて構成の簡単化を図ることができると共に、光学部材（反射鏡３６）自体を比較的簡単に構成することができる。
【００４１】
図１５に示す第９の実施例では、集光光学部と反射部とを、一体の光学部材たるプリズム３７から構成している。このプリズム３７は、光入射面３７ａから入射した光を、反射部たる反射面３７ｂにて反射させ、光出射面３７ｃから出射して撮像部５に導くように構成され、このとき反射面３７ｂが球面状の凹面とされていることにより、二次元コードＣをＸ軸及びＹ軸方向に拡大して撮像部５に撮像させるための集光光学部が構成されている。かかる構成においても、上記第８の実施例と同様の作用，効果を得ることができる。
【００４２】
図１６に示す第１０の実施例では、やはり集光光学部と反射部とを、一体の光学部材たるプリズム３８から構成している。このプリズム３８は、光入射面３８ａ、反射部たる反射面３８ｂ、光出射面３８ｃを備えるものであるが、そのうち光出射面３８ｃが、球面状の凸面（凸レンズ）とされていることにより、二次元コードＣをＸ軸及びＹ軸方向に拡大して撮像部５に撮像させるための集光光学部が構成されている。かかる構成においても、上記第９の実施例と同様の作用，効果を得ることができる。この場合、光入射面３８ａ側を凸レンズ状とすることもできる。
【００４３】
図１７に示す第１１の実施例では、二次元コードＣをＸ軸及びＹ軸方向に拡大して撮像部５に撮像させるための集光光学部として、上記第７の実施例（図１３）のレンズ３３に代えて、接続口１１の下部に、防塵プレートを兼用したレンズ３９を配設するようにしている。このレンズ３９は、下面側が球面状の凸レンズとなっている。かかる構成によれば、上記第７の実施例と同様の作用，効果を得ることができ、これに加えて、防塵プレート１１ａを省略して部品数を少なくすることができる。
【００４４】
（４）第１２の実施例、その他の実施例
図１８及び図１９は、本発明の第１２の実施例を示している。この実施例では、カメラ付き携帯端末機として、いわゆる二つ折り式のカメラ内蔵型の携帯電話機４１に、光学情報読取アダプタ４２を着脱自在に取付けてバーコードＢの読取りを可能とする場合を示している。
【００４５】
ここで、携帯電話機４１は、キー操作部３を有し全体のほぼ下半部を構成する基部４３に対して、表示部２を有し全体のほぼ上半部を構成する回動部４４をヒンジ部４５を介して開閉可能に接続して構成され、前記回動部４４の裏面側の下部寄り部位に、イメージセンサ６及び結像レンズ７を備える撮像部５を有している。前記回動部４４を開いた状態では、図示のように、回動部４４は、基部４３に対してその先端側が水平から若干持上がった傾斜状態をなすようになる。
【００４６】
これに対し、前記アダプタ４２は、前記回動部４４のほぼ下側の半部に対応した大きさのほぼ矩形箱状をなし上面部が該回動部４４の傾斜角度に応じた傾斜面とされた本体４６に、該回動部４４の左右の側縁部に着脱可能に係合される係合部４７（図１８参照）を有して構成される。そして、本体４６には、先端面に防塵プレート４８ａが配された読取口４８が設けられると共に、上面に前記撮像部５に対応して防塵プレート４９ａが配された接続口４９が設けられ、内部に、例えば、反射面がＸ軸方向に凹面とされ集光光学部と反射部とを兼ねる反射鏡５０が配設されている。
【００４７】
この場合、バーコードＢを読取る際の読取口４８の向く方向（入射光の光軸Ｏの延びる方向）が、携帯電話機４１（基部４３）の長手方向先端方向にほぼ一致し、反射鏡５０の反射角度θは、直角よりやや大きい鈍角となる。かかる構成においても、上記第１の実施例などと同様に、携帯電話機４１にアダプタ４２を取付けることにより、ユーザは、容易にバーコードＢの読取り操作を行うことができ、また、反射鏡５０を設けたことによって、撮像部５によりバーコードＢがＸ軸（横軸）方向に拡大されて撮像されるようになる。この結果、携帯電話機４１に内蔵される撮像部５の読取距離を短くすることができると共に、撮像部５（イメージセンサ６）が微細なバーコードＢを読取るには分解能がやや不足している事情があっても、それを補ってバーコードＢの良好な読取りを行うことができるものである。
【００４８】
尚、本発明は上記した各実施例に限定されるものではなく、例えば、上記各実施例では、携帯端末機として携帯電話機１，４１を例として説明したが、本発明は、カメラ付きＰＤＡ等各種のカメラ付き携帯端末機に適用することが可能である。また、アダプタの本体の構成（形状）としても、例えばユーザが把持するためのグリップ部を有するものとしても良い等、種々の変形が可能である。集光光学部の構成としても、例えば複数枚のレンズを組合せて構成する等の変形が可能であり、さらには、読取方向指示手段としても、溝や突条等のラインを設ける等の変形が可能であり、また必ずしも設けなくても良い等、本発明は要旨を逸脱しない範囲内で、適宜変更して実施し得るものである。
【図面の簡単な説明】
【図１】本発明の第１の実施例を示すもので、バーコードの読取り時の様子を示すアダプタの縦断側面図
【図２】携帯電話機にアダプタを取付けた状態の斜視図
【図３】光学系の構成を概略的に示す斜視図
【図４】レンズの作用を説明するための図
【図５】本発明の第２の実施例を示すもので、要部の縦断側面図（ａ）及びレンズの上面図（ｂ）
【図６】本発明の第３の実施例を示すもので、レンズ部分の斜視図
【図７】照明装置部分の上面図（ａ）及び側面図（ｂ）
【図８】本発明の第４の実施例を示すもので、図１相当図
【図９】図３相当図
【図１０】本発明の第５の実施例を示す図３相当図
【図１１】本発明の第６の実施例を示すもので、図２相当図
【図１２】図３相当図
【図１３】本発明の第７の実施例を示す図３相当図
【図１４】本発明の第８の実施例を示す図３相当図
【図１５】本発明の第９の実施例を示す図３相当図
【図１６】本発明の第１０の実施例を示す光学系の縦断側面図
【図１７】本発明の第１１の実施例を示す図１６相当図
【図１８】本発明の第１２の実施例を示すもので、図２相当図
【図１９】図１相当図
【符号の説明】
図面中、１，４１は携帯電話機（カメラ付携帯端末機）、２は表示部、３はキー操作部、５は撮像部、６はイメージセンサ、７は結像レンズ、８，３１，４２は光学情報読取アダプタ、９，３２，４６は本体、９ｃは稜部（読取方向指示手段）、１０，４８は読取口、１２，２１，３３はレンズ（集光光学部）、１３，３４は反射鏡（反射部）、２２は照明装置（照明手段）、２３，３６，３９，４９は反射鏡（光学部材）、２４，３５，３７，３８はプリズム（光学部材）、Ｂはバーコード（光学情報）、Ｃは二次元コード（光学情報）を示す。
【図１】
2004032507.tif 000003
【図２】
2004032507.tif 000004
【図３】
2004032507.tif 000005
【図４】
2004032507.tif 000006
【図５】
2004032507.tif 000007
【図６】
2004032507.tif 000008
【図７】
2004032507.tif 000009
【図８】
2004032507.tif 000010
【図９】
2004032507.tif 000011
【図１０】
2004032507.tif 000012
【図１１】
2004032507.tif 000013
【図１２】
2004032507.tif 000014
【図１３】
2004032507.tif 000015
【図１４】
2004032507.tif 000016
【図１５】
2004032507.tif 000017
【図１６】
2004032507.tif 000018
【図１７】
2004032507.tif 000019
【図１８】
2004032507.tif 000020
【図１９】
2004032507.tif 000021